【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
複数の基準線が設けられたシート材料の切断をするための切断工具に対して固定されるガイド部材であって、
該ガイド部材は、
一組の位置合わせ用マークと、
前記位置合わせ用マークと繋がる複数の計測用スケールとからなり、
各計測用スケールが前記基準線のうちの少なくとも１つに対応し、
前記位置合わせ用マークのうち１つが前記基準線のうちの１つに合わされると、前記基準線のうち少なくとも１つに対応する計測用スケールが前記シート材料の縁から前記切断工具の刃部の距離を指し示すことを特徴とするガイド部材。
【請求項２】
前記計測用スケールのうちの隣合う計測用スケールの組が、前記基準線のうちの隣合う基準線の組に対応することを特徴とする請求項１記載のガイド部材。
【請求項３】
複数の独立した識別用印部を更に備え、
前記独立した識別用印部のそれぞれが、前記計測用スケールの少なくとも１つに接続し、
該計測用スケールが前記基準線のうち１つに対応していることを特徴とする請求項１記載のガイド部材。
【請求項４】
前記複数の独立した識別用印部のそれぞれが、前記基準線のうち１つの線パターンを特定することを特徴とする請求項３記載のガイド部材。
【請求項５】
前記複数の独立した識別用印部のそれぞれが、前記基準線のうち１つの色彩を特定することを特徴とする請求項３記載のガイド部材。
【請求項６】
前記複数の独立した識別用印部のそれぞれが、参照文字を特定することを特徴とする請求項３記載のガイド部材。
【請求項７】
１つの計測用スケールのみが、各基準線に対応することを特徴とする請求項１記載のガイド部材。
【請求項８】
前記計測用スケールが、隣接する基準線の間隔の長さ以上に延出することを特徴とする請求項７記載のガイド部材。
【請求項９】
前記計測用スケールが、隣接する基準線の間隔の長さと略同程度に延出することを特徴とする請求項８記載のガイド部材。
【請求項１０】
少なくとも２つの計測用スケールが各基準線と対応することを特徴とする請求項１記載のガイド部材。
【請求項１１】
前記シート材料の前記縁が前記切断工具の第１面に配されるときに、前記基準線のうち１つに対応する一の計測用スケールが、前記シート材料の縁からの距離を指し示し、
前記シート材料の前記縁が前記切断工具の反対側の面に配されるときに、前記基準線のうち１つに対応する他のもう１つのスケールが、前記シート材料の前記縁からの距離を指し示すことを特徴とする請求項１０記載のガイド部材。
【請求項１２】
前記計測用スケールが前記隣接する基準線の間の距離と同程度の長さで延出することを特徴とする請求項１１記載のガイド部材。
【請求項１３】
同一の一本の基準線に対応する２つのスケールが一線上に配列されることを特徴とする請求項１１記載のガイド部材。
【請求項１４】
前記同一の一本の基準線に対応する２つのスケールのうち他の一方のスケールに対する方向が、前記切断工具に対する前記シート材料の前記縁の方向に応じて有効とされるスケールがいずれのスケールであるかを示すことを特徴とする請求項１３記載のガイド部材。
【請求項１５】
隣接する基準線の間の間隔の半分程度の長さだけ延出することを特徴とする請求項１１記載のガイド部材。
【請求項１６】
前記切断工具が前記シート材料を切断するときに、前記シート材料の上面より下側に前記ガイド部材のいかなる部分も延出しないことを特徴とする請求項１記載のガイド部材。
【請求項１７】
前記切断工具に固定されるベース部分と、
前記ベース部分に回転可能に連結するとともに、前記シート材料上にビームを投影する投影装置を更に備え、
前記投影されたビームが前記基準線に当るように前記切断工具を位置させることによって、前記位置合わせ用マークのうち１つが、前記基準線のうち１つに合わさることを特徴とする請求項１記載のガイド部材。
【請求項１８】
前記位置合わせ用マークと前記計測用スケールの組が環状部分上に形成され、該環状部分が前記投影装置を囲むことを特徴とする請求項１７記載のガイド部材。
【請求項１９】
前記位置合わせ用マークと前記計測用スケールの組が、前記ベース部分と前記投影装置のうち１つの上に形成され、
前記ベース部分と前記投影装置のうち他方には、参照マークが備えられ、
前記位置合わせ用マークを前記参照マークに整列させ、前記投影されたビームが前記基準線に当るように前記切断工具を位置させることによって、前記基準線のうちの１つに前記位置合わせ用マークが合わされることを特徴とする請求項１７記載のガイド部材。
【請求項２０】
前記投影装置がレーザを含むことを特徴とする請求項１７記載のガイド部材。
【請求項２１】
前記切断工具に固定されるベース部分と
前記ベース部材に摺動可能に接続する位置合わせ部材を更に備えることを特徴とする請求項１記載のガイド部材。
【請求項２２】
位置合わせ用マークと前記複数の計測用スケールの組が、前記ベース部分と前記位置合わせ用部材のうち一方の上に配設され、
前記ベース部分と前記位置合わせ用部材のうち他方が参照マークを備え、
前記位置合わせ用マークのうち１つを前記参照マークに合わせ、前記位置合わせ用部材の所定部分を前記基準線のうち１つに合わせることによって前記位置合わせ用マークのうち１つが前記基準線のうち１つに合わさることを特徴とする請求項２１記載のガイド部材。
【請求項２３】
前記位置合わせ用部材の前記所定部分が前記位置合わせ用部材の端部であることを特徴とする請求項２２記載のガイド部材。
【請求項２４】
複数の基準線を備えるシート材料を、その端部から所定間隔で切断する方法であって、該方法は、
切断工具に接続したガイド部材上の複数のスケールから、所定距離を備える１つのスケールを選択する段階と、
前記所定距離を備える前記スケールによって特定される識別される前記ガイド部材上の複数の位置合わせ用マークのうち１つを識別する段階と、
前記選択されたスケールに対応する基準線のうちの１つに前記識別された位置合わせ用マークを合わせる段階と、
前記切断工具で前記シート状材料を切断する間、前記識別された位置合わせ用マークと前記１つの基準線との合致状態を維持する段階からなることを特徴とする方法。
【請求項２５】
前記基準線のそれぞれが識別スタイルを備え、
前記スケールのそれぞれが対応する基準線の前記識別スタイルに対応する印部を備え、
前記識別された位置合わせ用マークを前記基準線のうち１つに合わせる段階が、前記所定距離を備える前記スケールが有する前記印部に応じて前記基準線のうち１つが選択される段階を備えることを特徴とする請求項２４記載の方法。
【請求項２６】
前記識別された印部が前記基準線のうち１つの特徴を示す線パターンに対応することを特徴とする請求項２５記載の方法。
【請求項２７】
前記識別用印部が前記基準線のうち１つの特徴を示す色彩に対応することを特徴とする請求項２５記載の方法。
【請求項２８】
前記スケールを選択する段階が、
前記シート材料の縁からｎ番目の基準線を数える段階と、
前記ｎ番目の基準線に対応する前記スケールを選択する段階を備えることを特徴とする請求項２４記載の方法。
【請求項２９】
前記識別された位置合わせ用マークを前記基準線のうち１つに合わせる段階が、前記基準線上方に前記位置合わせ用マークを載置する段階を備えることを特徴とする請求項２４記載の方法。
【請求項３０】
前記識別された位置合わせ用マークと前記基準線のうち１つの合致状態を維持する段階が、前記基準線上で、前記識別された位置合わせ用マークを通過させる段階を備えることを特徴とする請求項２９記載の方法。
【請求項３１】
前記基準線のうち１つに前記識別された位置合わせ用マークを合わせる段階が、
前記ガイド部材の位置合わせ用部材を動かし、前記識別された位置合わせ用マークを参照マークに合わせ、
前記位置合わせ用部材の所定部分を前記基準線の１つに合わせることを特徴とする請求項２４記載の方法。
【請求項３２】
前記位置合わせ用部材の所定部分を前記基準線のうち１つに合わせる段階が、前記位置合わせ用機構の端部を前記基準線のうち１つに合わせる段階を備えることを特徴とする請求項３１記載の方法。
【請求項３３】
前記ガイド部材が前記切断工具に回転可能に固定された投影装置を備え、
前記位置合わせ用マークのうち１つを前記基準線のうち１つに合わせる段階が、前記投影装置がビームを前記基準線のうち１つに投影するように、前記切断工具を位置させる段階を備えることを特徴とする請求項２４記載の方法。
【請求項３４】
前記位置合わせ用マークのうち１つを前記基準線のうち１つに合わせる段階が更に、前記切断工具に対して前記投影装置を回転させ、参照マークに前記位置合わせ用マークのうち１つを合わせることを特徴とする請求項３３記載の方法。
【請求項３５】
複数の基準線がその表面に設けられたシート材料を切断するための切断工具であって、
該切断工具が、
刃部と、
前記シート材料の前記表面上を摺動するプラットフォームと、
位置合わせ用マークの組を備えるガイド部材と、
前記位置合わせ用マークと接続する複数の計測用スケールからなり、
各計測用スケールが前記基準線のうち少なくとも１つと対応し、前記位置合わせ用マークのうち１つが前記基準線のうち１つと合わされたときに、前記基準線のうち１つに対応する計測用スケールが前記シート材料の縁から前記切断工具の刃部までの距離を指し示すことを特徴とする切断工具。
【請求項３６】
少なくとも１つの基準線がその表面に設けられたシート材料を切断するための切断工具であって、
前記シート材料を切断する刃部と、
前記シート材料の上を移動するプラットフォームと、
前記プラットフォームに調整可能に配設された位置合わせ用部材を備えるガイド部材からなり、
該ガイド部材が、前記切断工具を前記基準線に合わせ、前記位置合わせ用部材のいかなる部分も前記プラットフォームの下方へ延出しないことを特徴とする切断工具。
【請求項３７】
前記ガイド部材が計測用スケールを備えないことを特徴とする請求項３６記載の切断工具。
【請求項３８】
前記位置合わせ用部材が、位置合わせ用マークの組と
前記位置合わせ用マークの組と接続する前記計測用スケールと、
前記基準線に合わせられる所定部分とを備え、
前記ガイド部材が参照マークを備え、
前記参照マークが前記位置合わせ用マークのうち１つに合わせられるときに、前記計測用スケールが前記刃部と前記位置合わせ用部材の前記所定部分との間の側方距離を指し示すことを特徴とする請求項３６記載の切断工具。
【請求項３９】
前記位置合わせ用部材が
１つの計測用スケールが備えられる上面と、
第２の計測用スケールが備えられる下面とを備える平坦構造であることを特徴とする請求項４９記載の切断工具。
【請求項４０】
複数の基準線をその表面に備えるシート材料を切断する方法であって、
所望の距離を定める段階と、
前記シート状の前記所望距離を計測する段階と、
前記所望距離に切断工具の刃部を位置させる段階と、
前記基準線のうち１つに前記切断工具を合わせて前記切断工具にガイド部材を調整する段階と、
前記シート材料を切断する間、前記ガイド部材と前記基準線との合致状態を維持する段階からなることを特徴とする方法。
【請求項４１】
複数の基準線をその表面に備えるシート材料を切断する方法であって、
所望の距離を定める段階と、
前記所望距離と、前記基準線のうち１つに関連する距離との差異を算出し、算出距離を得る段階と、
前記切断工具に固定されたガイド部材を調整し、前記ガイド部材上に示された前記算出距離を前記参照マークに合わせる段階と、
前記ガイド部材の所定部分を前記基準線のうち１つに合わせる段階と、
前記シート材料を切断する間、前記ガイド部材の前記所定部分と前記基準線との合致状態を維持する段階からなることを特徴とする方法。
【請求項４２】
第１水平面と、
前記第１水平面と第２水平面との間の構造物用材料の厚さを定義する第２水平面と、
少なくとも１つの参照縁と、
２つの側縁と、
前記第１水平面と第２水平面のうち少なくとも一方に記される複数の基準線からなり、
該基準線は前記参照縁に平行に配されるとともに他の基準線とは互いに分離していることを特徴とする構造物用材料シート。
【請求項４３】
前記基準線のうち少なくとも１つが色彩を備え、
該色彩が少なくとも他の基準線とは異なることを特徴とする請求項４２記載の構造物用材料シート。
【請求項４４】
前記基準線のうち少なくとも１つの線パターンを備え、
該線パターンが少なくとも他の基準線とは異なることを特徴とする請求項４２記載の構造物用材料シート。
【請求項４５】
前記基準線のうち少なくとも１つが参照文字を備え、
該参照文字が、少なくとも他の基準線とは異なる参照文字であることを特徴とする請求項４２記載の構造物用材料シート。
【請求項４６】
複数の基準線を備えるシートの切断を容易にする切断工具用のガイド部材であって、
該ガイド部材は、前記切断工具に接続するベース部分と、
前記ベース部分に回転可能に取付けられるとともに、前記シート材料に位置合わせ用マークを投影する投影装置と、
前記投影装置の角度方向に応じた電気信号を発生させるとともに前記投影装置に接続された角度センサと、
前記電気信号を受けるとともに、前記投影装置の前記角度位置に基づいて、前記切断工具の刃部と前記投影された位置合わせ用マーク間の距離を算出する電気回路からなることを特徴とするガイド部材。
【請求項４７】
複数の基準線を備えるシートの切断を容易にする切断工具用のガイド部材であって、
該ガイド部材は、一組の位置合わせ用マークと、
前記位置合わせ用マークと繋がる複数の計測用スケールとからなり、
各計測用スケールが前記基準線のうちの少なくとも１つに対応し、
前記位置合わせ用マークのうち１つが前記基準線のうちの１つに合わされると、前記基準線のうち少なくとも１つに対応する計測用スケールが前記シート材料の縁から前記切断工具の刃部の距離を指し示し、
前記ガイド部材は、更に複数の独立した識別用印部を備え、
前記独立した識別用印部のそれぞれが、前記計測用スケールの少なくとも１つに接続し、
該計測用スケールが前記基準線のうち１つに対応し、
前記複数の独立した識別用印部のそれぞれが、前記基準線のうち１つの線パターンを特定することを特徴とするガイド部材。
【請求項４８】
複数の基準線を備えるシートの切断を容易にする切断工具用のガイド部材であって、
該ガイド部材は、一組の位置合わせ用マークと、
前記位置合わせ用マークと繋がる複数の計測用スケールとからなり、
各計測用スケールが前記基準線のうちの少なくとも１つに対応し、
前記位置合わせ用マークのうち１つが前記基準線のうちの１つに合わされると、前記基準線のうち少なくとも１つに対応する計測用スケールが前記シート材料の縁から前記切断工具の刃部の距離を指し示し、
前記ガイド部材は、更に複数の独立した識別用印部を備え、
前記独立した識別用印部のそれぞれが、前記計測用スケールの少なくとも１つに接続し、
該計測用スケールが前記基準線のうち１つに対応し、
前記複数の独立した識別用印部のそれぞれが、前記基準線のうち１つの色彩を特定することを特徴とするガイド部材。
【請求項４９】
第１水平面と、
第２水平面と、
少なくとも１つの参照縁と、
２つの側縁と、
前記第１水平面と第２水平面のうち少なくとも一方に記される複数の基準線からなり、
前記第２水平面は、前記第１水平面と第２水平面との間の構造物用材料の厚さを定義し、
前記基準線は前記参照縁に平行に配されるとともに他の基準線とは互いに分離し、
一の前記基準線と該一の基準線に隣接する前記基準線の間隔は、少なくとも１２インチであり、
前記基準線それぞれは、他の基準線のうち少なくともいくつかと異なる特徴を備え、
前記基準線それぞれが備える前記特徴は、のこぎり用ガイド部材上に設けられた複数の参照用スケールのうち少なくとも１つと関連することを特徴とする構造物用材料シート。
【請求項５０】
前記基準線それぞれが備える前記特徴が、色彩であることを特徴とする請求項４９記載の構造物用材料シート。
【請求項５１】
前記基準線それぞれが備える前記特徴が、線パターンであることを特徴とする請求項４９記載の構造物用材料シート。
【請求項５２】
前記基準線それぞれが備える前記特徴が、参照文字であることを特徴とする請求項４９記載の構造物用材料シート。
【請求項５３】
一の前記基準線と該一の基準線に隣接する前記基準線の間隔が、少なくとも１６インチであることを特徴とする請求項４９記載の構造物用材料シート。
【請求項５４】
前記構造物用材料シートの側縁の長さが少なくとも８フィートであり、
前記シート材料が７本未満の基準線を備えることを特徴とする請求項５３記載の構造物用材料シート。
【請求項５５】
前記構造物用材料シートの側縁の長さが少なくとも１２フィートであり、
前記シート材料が１０本未満の基準線を備えることを特徴とする請求項５３記載の構造物用材料シート。
【請求項５６】
前記構造物用材料シートの側縁の長さが少なくとも１６フィートであり、
前記シート材料が１３本未満の基準線を備えることを特徴とする請求項５３記載の構造物用材料シート。
【請求項５７】
前記複数の基準線が等間隔に配されることを特徴とする請求項４９記載の構造物用材料シート。
【請求項５８】
前記構造物用材料シートの中心線を境にして、前記複数の基準線が対称的に配されることを特徴とする請求項４９記載の構造物用材料シート。
【請求項５９】
同一の特徴を備える一対の基準線が、前記構造物用材料シートの中心線を境にして対称的に配されることを特徴とする請求項５８記載の構造物用材料シート。
【請求項６０】
前記基準線のうち少なくとも３本が別個の特徴を備えることを特徴とする請求項４９記載の構造物用材料シート。
【請求項６１】
一の前記基準線が、２本の隣接する基準線に挟まれ、
該隣接する基準線それぞれが、前記一の基準線並びに他方の隣接する基準線と異なる特徴を備えることを特徴とする請求項４９記載の構造物用材料シート。
【請求項６２】
前記基準線それぞれが、他の基準線のいずれとも異なる特徴を備えることを特徴とする請求項４９記載の構造物用材料シート。
【請求項６３】
第１水平面と、
第２水平面と、
少なくとも１つの参照縁と、
２つの側縁と、
前記第１水平面と第２水平面のうち少なくとも一方に記される複数の基準線と、
前記基準線それぞれと、のこぎり用ガイド部材上に設けられた複数の参照用スケールのうち１つとを関連付ける手段からなり、
前記第２水平面は、前記第１水平面と第２水平面との間の構造物用材料の厚さを定義することを特徴とする構造物用材料シート。
【請求項６４】
前記基準線それぞれと前記複数の参照用スケールのうち１つとを関連付ける手段が色彩であることを特徴とする請求項６３記載の構造物用材料シート。
【請求項６５】
前記基準線それぞれと前記複数の参照用スケールのうち１つとを関連付ける手段が線パターンであることを特徴とする請求項６３記載の構造物用材料シート。
【請求項６６】
前記基準線それぞれと前記複数の参照用スケールのうち１つとを関連付ける手段が参照文字であることを特徴とする請求項６３記載の構造物用材料シート。
【請求項６７】
前記構造物用材料シートの中心線を境にして、前記複数の基準線が対称的に配されることを特徴とする請求項６３記載の構造物用材料シート。
【請求項６８】
同一の特徴を備える一対の基準線が、前記構造物用材料シートの中心線を境にして対称的に配されることを特徴とする請求項６７記載の構造物用材料シート。
【請求項６９】
一の前記基準線と該一の基準線に隣接する前記基準線の間隔が、少なくとも１６インチであり、
前記構造物用材料シートの側縁の長さが少なくとも８フィートであり、
前記シート材料が７本未満の基準線を備えることを特徴とする請求項６３記載の構造物用材料シート。